(57)【要約】【課題】傘の中棒に連動装置を設置することによって自動的に開閉動作を行えるワンタッチ式折畳傘を提供する。【解決手段】ハンドル（１）を有し、ハンドル（１）の一端に内部パイプ（１１）が設けられると共に、内部パイプ（１１）の自由端に順番で中間パイプ（１２）と外部パイプ（１３）が設けられ、外部パイプ（１３）は上端に上ろくろ（１４）が設けられ、中段に中ろくろ（１５）が設けられ、下端にろくろ（１６）が設けられ、中ろくろ（１５）の底部とろくろ（１６）の上部とはスプリング（１７）によって連結され、上ろくろ（１４）と中ろくろ（１５）とろくろ（１６）には互いに連結する骨が設置され、ハンドル（１）に制御装置（２０）が設置され、中間パイプ（１２）の上部に制限装置（３０）が設置され、上ろくろ（１４）の下方における外部パイプ（１３）にプル装置（４０）が設置されることを特徴とする。【選択図】　　図１
2004121328.tif 000002
【特許請求の範囲】
【請求項１】
ハンドル（１）を有し、ハンドル（１）の一端に内部パイプ（１１）が設けられ、内部パイプ（１１）の自由端に順に中間パイプ（１２）と外部パイプ（１３）が設けられ、外部パイプ（１３）は上端に上ろくろ（１４）が設けられると共に、中段に中ろくろ（１５）が設けられ、下端にろくろ（１６）が設けられ、中ろくろ（１５）の底部とろくろ（１６）の上部とはスプリング（１７）により連結され、上ろくろ（１４）と中ろくろ（１５）とろくろ（１６）には互いに連結する骨が設置され、内部パイプ（１１）と中間パイプ（１２）は内部パイプ（１１）の内部における第一ボール（１１１）によって互いに位置決めされ、中間パイプ（１２）と外部パイプ（１３）は中間パイプ（１２）の内部における第二ボール（３１６）によって互いに位置決めされるワンタッチ式折畳傘であって、
ハンドル（１）に制御装置（２０）が設置され、中間パイプ（１２）の上部に制限装置（３０）が設置され、外部パイプ（１３）の上部と上ろくろ（１４）の下部との間にプル装置（４０）が設置され、
制御装置（２０）はハンドル（１）における押しボタン（２１）と、内部パイプ（１１）における移動ブロック（２２）を含み、押しボタン（２１）の内側にハンドル（１）の内部に延出する止めプレート（２１１）及び押圧ロッド（２１５）が設けられ、止めプレート（２１１）の中段に上下貫通の貫通孔（２１２）が形成され、この貫通孔（２１２）の内径は内部パイプ（１１）の外径より大きく、止めプレート（２１１）における押圧プレート（２１０）と離間する一端はハンドル（１）の内部に設置するスプリング（２１３）によって押圧されると共に、押しボタン（２１）はハンドル（１）の表面まで突出され、止めプレート（２１１）の内縁は内部パイプ（１１）の内部まで延出すると共に、移動ブロック（２２）の上面に阻まれ、移動ブロック（２２）の底部はスプリング（２３）によって内部パイプ（１１）の底部と連結され、上部は連結ロープ（２４）によって中間パイプ（１２）の上部における制限装置（３０）と連結され、押しボタン（２１）側の移動ブロック（２２）の一端にはスプリング（２２１）によって押圧される制限ロッド（２２２）が設けられ、内部パイプ（１１）の壁に制限ロッド（２２２）を収容するための長溝（１００）が形成され、長溝（１００）の上端は押しボタン（２１）の押圧ロッド（２１５）の端面と対応し、
中間パイプ（１２）の上部に収容溝（１２２）が形成され、
制限装置（３０）は収容溝（１２２）の内部に設置するパイプ（３１）を有し、パイプ（３１）の底部と収容溝（１２２）の底部との間にスプリング（３２）が設けられ、パイプ（３１）の壁に取り付け溝（３１１）、（３１２）が形成され、取り付け溝（３１１）の内部に固定ロッド（３３）が設置されると共に、取り付け溝（３１２）の内壁に凸部（３１３）が設置され、パイプ（３１）の上部に中間パイプ（１２）まで延出する移動ブロック（３１４）が設置され、この移動ブロック（３１４）の端部に斜め縁（３１５）が形成され、前記連結ロープ（２４）の他端は中間パイプ（１２）とパイプ（３１）を貫通し、移動ブロック（３１４）の上部と連結され、中間パイプ（１２）の上壁に第二ボール（３１６）が嵌められ、この第二ボール（３１６）は弾性プレート（３１７）によって押圧され、第二ボール（３１６）にはパイプ（３１）における取り付け溝（３１２）を貫通するロッドが設置されると共に、ロッドに凸部（３１３）によって押圧される係合プレート（３１８）が設けられ、
プル装置（４０）は上ろくろ（１４）の貫通孔（１４１）に枢設する上部プーリー（４１）と、内部パイプ（１１）に枢設する下部プーリー（４２）と、外部パイプ（１３）の外側に設置されるリング状の移動ブロック（４３）と、移動ブロック（４３）の内部に枢設される移動プーリー（４４）と、移動ブロック（４３）と上ろくろ（１４）の底部との間に設置されるスプリング（４５）と、下部プーリー（４２）の下縁と上部プーリー（４１）の上縁を巻きまわすと共に、移動プーリー（４４）に固定されるロープ（４６）とを備え、ロープ（４６）は常時緊張状態にあることを特徴とする、ワンタッチ式折畳傘。
【発明の詳細な説明】
【０００１】
【発明の属する技術分野】
本発明は、特に傘の中棒に連動装置を設置することによって自動的に開閉動作を行えるワンタッチ式折畳傘に関するものである。
【０００２】
【従来の技術】
傘の展開作業をし易くするため、現在では自動的に展開できるワンタッチ式傘が広く使用されている。このワンタッチ式傘は殆ど長傘であるが、折畳傘には設置することができない。
【０００３】
【本発明が解決しようとする課題】
折畳傘は体積が小さく、携帯に便利であるが、ワンタッチ式によって自動的に開閉することができないので、使用者が傘を開閉する時には、必ず雨に濡れてしまうという欠点を有する。例えば、使用者が大雨の中、自動車から降りる時、車内で傘を展開できないので、必ず生布を全てドアの外側に出してから、傘を展開する必要がある。しかし、この方法では、手や袖が雨に濡れてしまう。又、折畳傘はワンタッチで展開できないため、手に物を持っている時は、非常に不便であり、且つ物も濡れてしまう恐れがある。
【０００４】
そこで、出願されたのが本発明であって、自動的に開閉できるワンタッチ式折畳傘を提供することを目的としている。
【０００５】
【課題を解決するための手段】
本願の請求項１の発明は、ハンドル（１）を有し、ハンドル（１）の一端に内部パイプ（１１）が設けられ、内部パイプ（１１）の自由端に順に中間パイプ（１２）と外部パイプ（１３）が設けられ、外部パイプ（１３）は上端に上ろくろ（１４）が設けられると共に、中段に中ろくろ（１５）が設けられ、下端にろくろ（１６）が設けられ、中ろくろ（１５）の底部とろくろ（１６）の上部とはスプリング（１７）により連結され、上ろくろ（１４）と中ろくろ（１５）とろくろ（１６）には互いに連結する骨が設置され、内部パイプ（１１）と中間パイプ（１２）は内部パイプ（１１）の内部における第一ボール（１１１）によって互いに位置決めされ、中間パイプ（１２）と外部パイプ（１３）は中間パイプ（１２）の内部における第二ボール（３１６）によって互いに位置決めされるワンタッチ式折畳傘であって、
ハンドル（１）に制御装置（２０）が設置され、中間パイプ（１２）の上部に制限装置（３０）が設置され、外部パイプ（１３）の上部と上ろくろ（１４）の下部との間にプル装置（４０）が設置され、
制御装置（２０）はハンドル（１）における押しボタン（２１）と、内部パイプ（１１）における移動ブロック（２２）を含み、押しボタン（２１）の内側にハンドル（１）の内部に延出する止めプレート（２１１）及び押圧ロッド（２１５）が設けられ、止めプレート（２１１）の中段に上下貫通の貫通孔（２１２）が形成され、この貫通孔（２１２）の内径は内部パイプ（１１）の外径より大きく、止めプレート（２１１）における押圧プレート（２１０）と離間する一端はハンドル（１）の内部に設置するスプリング（２１３）によって押圧されると共に、押しボタン（２１）はハンドル（１）の表面まで突出され、止めプレート（２１１）の内縁は内部パイプ（１１）の内部まで延出すると共に、移動ブロック（２２）の上面に阻まれ、移動ブロック（２２）の底部はスプリング（２３）によって内部パイプ（１１）の底部と連結され、上部は連結ロープ（２４）によって中間パイプ（１２）の上部における制限装置（３０）と連結され、押しボタン（２１）側の移動ブロック（２２）の一端にはスプリング（２２１）によって押圧される制限ロッド（２２２）が設けられ、内部パイプ（１１）の壁に制限ロッド（２２２）を収容するための長溝（１００）が形成され、長溝（１００）の上端は押しボタン（２１）の押圧ロッド（２１５）の端面と対応し、
中間パイプ（１２）の上部に収容溝（１２２）が形成され、
制限装置（３０）は収容溝（１２２）の内部に設置するパイプ（３１）を有し、パイプ（３１）の底部と収容溝（１２２）の底部との間にスプリング（３２）が設けられ、パイプ（３１）の壁に取り付け溝（３１１）、（３１２）が形成され、取り付け溝（３１１）の内部に固定ロッド（３３）が設置されると共に、取り付け溝（３１２）の内壁に凸部（３１３）が設置され、パイプ（３１）の上部に中間パイプ（１２）まで延出する移動ブロック（３１４）が設置され、この移動ブロック（３１４）の端部に斜め縁（３１５）が形成され、前記連結ロープ（２４）の他端は中間パイプ（１２）とパイプ（３１）を貫通し、移動ブロック（３１４）の上部と連結され、中間パイプ（１２）の上壁に第二ボール（３１６）が嵌められ、この第二ボール（３１６）は弾性プレート（３１７）によって押圧され、第二ボール（３１６）にはパイプ（３１）における取り付け溝（３１２）を貫通するロッドが設置されると共に、ロッドに凸部（３１３）によって押圧される係合プレート（３１８）が設けられ、
プル装置（４０）は上ろくろ（１４）の貫通孔（１４１）に枢設する上部プーリー（４１）と、内部パイプ（１１）に枢設する下部プーリー（４２）と、外部パイプ（１３）の外側に設置されるリング状の移動ブロック（４３）と、移動ブロック（４３）の内部に枢設される移動プーリー（４４）と、移動ブロック（４３）と上ろくろ（１４）の底部との間に設置されるスプリング（４５）と、下部プーリー（４２）の下縁と上部プーリー（４１）の上縁を巻きまわすと共に、移動プーリー（４４）に固定されるロープ（４６）とを備え、ロープ（４６）は常時緊張状態にあることを特徴とする、ワンタッチ式折畳傘を提供する。
【０００６】
【発明の実施の形態】
以下、添付図面を参照して本発明の好適な実施の形態を詳細に説明する。
【０００７】
図１は本発明に係わるワンタッチ式折畳傘を展開するため、中間パイプをプルする前の断面図であり、図２は本発明に係わるワンタッチ式折畳傘を展開するため、外部パイプをプルする前の断面図であり、図３は本発明に係わるワンタッチ式折畳傘を展開した状態を示す断面図であり、図４は本発明に係わるワンタッチ式折畳傘を閉じる前の状態を示す断面図であり、図５は本発明に係わるワンタッチ式折畳傘を閉じたの状態を示す断面図である。
【０００８】
図１に示すように、本発明のワンタッチ式折畳傘はハンドル（１）を有し、ハンドル（１）の一端に内部パイプ（１１）が設けられると共に、内部パイプ（１１）の自由端に順に中間パイプ（１２）と外部パイプ（１３）が設けられ、外部パイプ（１３）は上端に上ろくろ（１４）が設けられると共に、中段に中ろくろ（１５）が設けられ、下端にろくろ（１６）が設けられ、中ろくろ（１５）の底部とろくろ（１６）の上部とはスプリング（１７）により連結され、上ろくろ（１４）と中ろくろ（１５）とろくろ（１６）には互いに連結する骨が設置される。骨及び生布の部分は一般の構造と同様であるため省略する。本発明のハンドル（１）に制御装置（２０）が設置され、中間パイプ（１２）の上部に制限装置（３０）が設置され、上ろくろ（１４）の下方における外部パイプ（１３）にプル装置（４０）が設置される（各装置の詳しい構造は後に説明する）。
【０００９】
傘を展開したい時は、車内で中間パイプ（１２）及び外部パイプ（１３）を図２に示すように上方へ押し出し、この時の傘はまだ展開していない。更に、図３に示すように、ハンドル（１）における制御装置（２０）を押圧して、中ろくろ（１５）とろくろ（１６）を自動的に上ろくろ（１４）へ移動させることにより、それにより、傘を展開させる。
【００１０】
又、図４に示すように、傘を閉じたい時は、再び制御装置（２０）を押圧すると共に、プル装置（４０）と、中ろくろ（１５）と、ろくろ（１６）を図５に示すように自動的に上ろくろ（１４）と反対方向へ移動させることにより、傘を閉じさせるので、片手で傘を開閉することができ、操作が非常に簡単であると共に、操作時間も短縮できるので、雨に濡れるという欠点も解消できる。又、本発明の傘は展開前に、両手で予め準備作業をする必要があるが、車内で操作できるので、不便の状況はない。
【００１１】
以下、本発明の構造と操作方法を詳細に説明する。
図１に示すように、ハンドル（１）に設置される制御装置（２０）はハンドル（１）に設置される押しボタン（２１）と、内部パイプ（１１）の内部に設置される移動ブロック（２２）とを備え、押しボタン（２１）はハンドル（１）の表面に設置する押圧プレート（２１０）を有し、押圧プレート（２１０）にはハンドル（１）の内部へ向かうように上下排列する止めプレート（２１１）と押圧ロッド（２１５）が設けられ、押圧ロッド（２１５）はハンドル（１）を貫通し設置される。止めプレート（２１１）はハンドル（１）の内部に横手のように設置されると共に、中段に上下方向に貫通の貫通孔（２１２）が形成され、この貫通孔（２１２）の内径は内部パイプ（１１）の外径より大きい。それにより、内部パイプ（１１）の内における移動ブロック（２２）は貫通孔（２１２）を通過して上下に移動可能となる。更に、止めプレート（２１１）における押圧プレート（２１０）と離間する一端がハンドル（１）の内部に設置されるスプリング（２１３）によって押圧されて、押しボタン（２１）がハンドル（１）の表面まで突出される。止めプレート（２１１）の内縁は内部パイプ（１１）の内部まで延出すると共に、移動ブロック（２２）の上面を阻むことにより、移動ブロック（２２）は正常な状態で上方への移動ができなくなる。
【００１２】
更に、前記移動ブロック（２２）の底部はスプリング（２３）によって内部パイプ（１１）の底部と連結されると共に、上部は連結ロープ（２４）によって中間パイプ（１２）の上部における制限装置（３０）と連結され、押しボタン（２１）側の移動ブロック（２２）の一端にはスプリング（２２１）によって押圧される制限ロッド（２２２）が設けられ、内部パイプ（１１）の壁に制限ロッド（２２２）を収容するための長溝（１００）が形成され、長溝（１００）の上端は押しボタン（２１）の押圧ロッド（２１５）の端面と対応している。図３に示すように、傘を展開すると共に、移動ブロック（２２）を上方へ移動する時は、制限ロッド（２２２）が長溝（１００）の上部に移動し、傘が閉じる時は、押圧ロッド（２１５）により制限ロッド（２２２）が押圧される。
【００１３】
又、内部パイプ（１１）の上壁に第一ボール（１１１）が嵌設され、この第一ボール（１１１）は中間パイプ（１２）における係合孔（１２１）から突出するように位置決めするものである。中間パイプ（１２）の上部の中心には制限装置（３０）を収容するための収容溝（１２２）が形成される。
【００１４】
制限装置（３０）は、収容溝（１２２）の内部に設置するパイプ（３１）を有し、パイプ（３１）の底部と収容溝（１２２）の底部との間にスプリング（３２）が設けられ、パイプ（３１）の壁に取り付け溝（３１１）、（３１２）が形成され、取り付け溝（３１１）の内部に固定ロッド（３３）が設置されると共に、取り付け溝（３１２）の内壁に凸部（３１３）が設置される。パイプ（３１）の上部に中間パイプ（１２）まで延出する移動ブロック（３１４）が設置され、この移動ブロック（３１４）の端部に斜め縁（３１５）が形成される。前記連結ロープ（２４）の他端は中間パイプ（１２）とパイプ（３１）を貫通し、移動ブロック（３１４）の上部と連結される。又、中間パイプ（１２）の上壁に第二ボール（３１６）が嵌められ、この第二ボール（３１６）は弾性プレート（３１７）によって押圧されると共に、パイプ（３１）における取り付け溝（３１２）を貫通するロッドが設置され、このロッドには凸部（３１３）によって押圧される係合プレート（３１８）が設けられる。
【００１５】
そして、前記外部パイプ（１３）の下壁に第二ボール（３１６）を収容するため係合孔（１３１）が形成されるので、傘を展開する前には、係合孔（１３１）は第二ボール（３１６）の下に位置し、準備作業の時は、第二ボール（３１６）が係合孔（１３１）に位置決めされるまで、外部パイプ（１３）が上方へ移動する（図２参照）。更に、中ろくろ（１５）の内壁にスプリング（１５１）により押圧されると共に、外部パイプ（１３）に貫通するロッド（１５２）が設置され、このロッド（１５２）は中ろくろ（１５）に対して位置決め効果を提供する。
【００１６】
前記上ろくろ（１４）の底部と外部パイプ（１３）の上部に夫々プル装置（４０）を取り付けるための貫通孔（１４１）、（１３２）が形成される。前記プル装置（４０）は上ろくろ（１４）の貫通孔（１４１）に枢設される上部プーリー（４１）と、内部パイプ（１１）に枢設される下部プーリー（４２）と、外部パイプ（１３）の外側に設置されるリング状の移動ブロック（４３）と、移動ブロック（４３）の内部に枢設される移動プーリー（４４）と、移動ブロック（４３）と上ろくろ（１４）の底部との間に設置されるスプリング（４５）と、下部プーリー（４２）の下縁と上部プーリー（４１）の上縁を巻きまわすと共に、移動プーリー（４４）に固定されるロープ（４６）とを備え、このロープ（４６）は常時緊張状態にある。
【００１７】
図１に示すように、前記準備作業では第一ボール（１１１）を係合孔（１２１）に位置決めするまで中間パイプ（１２）を上方へ移動させるが、この際、連結ロープ（２４）は緊張状態にあり、図２に示すように、第二ボール（３１６）を係合孔（１３１）に位置決めするまで外部パイプ（１３）を上方へ移動させた時、中ろくろ（１５）におけるロッド（１５２）は外部パイプ（１３）を貫通して移動ブロック（３１４）の斜め縁（３１５）と接触し、中ろくろ（１５）がロッド（１５２）によって上方へ移動できなくなり、これにより、準備作業を完了となる。
【００１８】
図３に示すように、傘を展開する際は、制御装置（２０）の押しボタン（２１）を押圧すると共に、止めプレート（２１１）が内部へ押圧されながら、移動ブロック（２２）の上面が開放され、スプリング（３２）の弾性力によってパイプ（３１）と移動ブロック（３１４）が制限ロッド（２２２）を長溝（１００）の上部に到達するまで上方へ移動させると共に、連結ロープ（２４）によって制御装置（２０）の移動ブロック（２２）を上方へ移動させる。又、移動ブロック（３１４）が上方へ移動する際には、図２に示すように、中ろくろ（１５）におけるロッド（１５２）が外側へ押し出されると共に、中ろくろ（１５）が図３に示すように移動ブロック（４３）の底部まで移動して、傘が展開状態となる。
【００１９】
又、図４に示すように、傘を閉じる際は、再び押しボタン（２１）を押圧すると共に、押圧ロッド（２１５）により制限ロッド（２２２）を内部へ押圧し、パイプ（３１）を再びスプリング（３２）の付勢力によって上方へ押し上げると共に、連結ロープ（２４）により移動ブロック（２２）を上方へ移動させる。それにより、凸部（３１３）を上方へ移動させて、係り合いプレート（３１８）を押圧しながら、第二ボール（３１６）を係合孔（１３１）から内部方向へ移動させる。又、プル装置（４０）におけるスプリング（４５）及び中ろくろ（１５）とろくろ（１６）との間に設けるスプリング（１７）の付勢力によって、中ろくろ（１５）とろくろ（１６）と外部パイプ（１３）を下方へ移動させ、図５に示すように、中間パイプ（１２）を重力によって第一ボール（１１１）の制限作用を開放することにより、下方へ移動させる。この時、連結ロープ（２４）はゆるんでいる状態であるため、移動ブロック（２２）は底部におけるスプリング（２３）の付勢力によって元の位置に回復し、その後、押しボタン（２１）を放すと、止めプレート（２１１）は再びスプリング（２１３）によって移動ブロック（２２）の上部を阻み、傘が閉じた状態となる。
【００２０】
【発明の効果】
本発明は上記の構成を有するので、折畳傘においても片手でワンタッチ開閉ができ、非常に便利である。
【図面の簡単な説明】
【図１】本発明に係るワンタッチ式折畳傘を展開するため、中間パイプをプルする前の断面図である。
【図２】本発明に係るワンタッチ式折畳傘を展開するため、外部パイプをプルする前の断面図である。
【図３】本発明に係るワンタッチ式折畳傘を展開した状態を示す断面図である。
【図４】本発明に係るワンタッチ式折畳傘を閉じる前の状態を示す断面図である。
【図５】本発明に係るワンタッチ式折畳傘を閉じたの状態を示す断面図である。
【符号の説明】
１　　　　　ハンドル
１００　　　長溝
１１　　　　内部パイプ
１１１　　　第一ボール
１２　　　　中間パイプ
１２１　　　係合孔
１２２　　　収容溝
１３　　　　外部パイプ
１３１　　　係合孔
１３２　　　貫通孔
１４　　　　上ろくろ
１４１　　　貫通孔
１５　　　　中ろくろ
１５１　　　スプリング
１５２　　　ロッド
１６　　　　ろくろ
１７　　　　スプリング
２０　　　　制御装置
２１　　　　押しボタン
２１０　　　押圧プレート
２１１　　　止めプレート
２１２　　　貫通孔
２１３　　　スプリング
２１５　　　押圧ロッド
２２　　　　移動ブロック
２２１　　　スプリング
２２２　　　制限ロッド
２３　　　　スプリング
２４　　　　連結ロープ
３０　　　　制限装置
３１　　　　パイプ
３１１　　　取り付け溝
３１２　　　取り付け溝
３１３　　　凸部
３１４　　　移動ブロック
３１５　　　斜め縁
３１６　　　第二ボール
３１７　　　弾性プレート
３１８　　　係合プレート
３２　　　　スプリング
３３　　　　固定ロッド
４０　　　　プル装置
４１　　　　上部プーリー
４２　　　　下部プーリー
４３　　　　移動ブロック
４４　　　　移動プーリー
４５　　　　スプリング
４６　　　　ロープ
【図１】
2004121328.tif 000003
【図２】
2004121328.tif 000004
【図３】
2004121328.tif 000005
【図４】
2004121328.tif 000006
【図５】
2004121328.tif 000007